(57)【要約】【課題】ユーザの視聴履歴に基づいて精度よく、よく見る放送型番組及びお勧めの放送型番組の提示を行う。【解決手段】視聴番組予測部１０１ｅは、出力履歴管理部１０３によって管理される統合出力履歴テーブルに格納される出力履歴及び携帯端末出力履歴の統計処理と、統計処理結果及び現在放送中又はＥＰＧに登録されている放送型番組の番組属性情報の比較とに基づいて、「よく見るテレビ番組」又は「お勧めのテレビ番組」を予測し、通知制御部１０１ｆは、予測が更新されると、「よく見るテレビ番組」又は「お勧めのテレビ番組」の予測結果を読み出し、抽出した出力履歴の項目と、現在放送中又はＥＰＧに登録されている放送型番組の番組属性情報との比較を行い、出力履歴と番組属性情報とが一致する場合、該当する放送型番組を「よく見るテレビ番組」又は「お勧めのテレビ番組」として入出力部１０４から出力する様に出力制御してユーザに提示する。【選択図】        図１
2010154120.tif 000002
【特許請求の範囲】
【請求項１】
放送型番組を受信する番組受信部と、
前記番組受信部によって受信された放送型番組を出力装置から出力するよう制御する番組出力制御部と、
前記番組出力制御部によって前記出力装置から出力された放送型番組の番組属性情報を含む出力履歴を取得する出力履歴取得部と、
放送型番組を受信する機能を有する携帯端末装置との通信を制御する通信制御部と、
前記携帯端末装置において視聴又は聴取された放送型番組の番組属性情報を含む視聴履歴を前記通信制御部による通信制御によって各前記携帯端末装置から取得する視聴履歴取得部と、
前記視聴履歴取得部によって取得された前記視聴履歴及び／又は前記出力履歴取得部によって取得された前記出力履歴と、現在放送中の放送型番組の番組属性情報とを比較し、前記視聴履歴と、前記現在放送中の放送型番組の番組属性情報との一致又は類似性に基づいて各前記携帯端末装置のユーザが視聴又は聴取を希望する放送型番組を予測する視聴番組予測部と、
前記視聴番組予測部によって予測された放送型番組を選択して前記出力装置から出力するよう前記番組出力制御部を制御する選択出力制御部と
を有することを特徴とする番組受信装置。
【請求項２】
前記視聴番組予測部によって予測された放送型番組に対する利用者の選択を受け付ける番組選択受付部を有し、
前記選択出力制御部は、前記番組選択受付部によって受け付けられた選択に応じた放送型番組を前記出力装置から出力するよう制御する
ことを特徴とする請求項１記載の番組受信装置。
【請求項３】
端末識別情報によって携帯端末装置を識別する携帯端末識別部を有し、
前記視聴履歴取得部は、前記携帯端末識別部によって識別される携帯端末装置毎に放送型番組の視聴履歴を取得し、
前記視聴番組予測部は、前記携帯端末装置毎に各ユーザが視聴又は聴取を希望する放送型番組を予測する
ことを特徴とする請求項１又は２記載の番組受信装置。
【請求項４】
前記端末識別情報は、前記出力装置に対する各携帯端末装置の相対位置情報を含み、
前記選択出力制御部は、前記相対位置情報に応じて放送型番組を出力する前記出力装置の出力形態を切り替える
ことを特徴とする請求項３記載の番組受信装置。
【請求項５】
携帯端末装置と番組受信装置とが通信を行う放送型番組受信システムであって、
前記携帯端末装置は、
放送型番組を受信する携帯端末番組受信部と、
前記携帯端末番組受信部によって受信された放送型番組を携帯端末出力装置から出力するよう制御する携帯端末番組出力制御部と、
前記番組受信装置との通信を制御する携帯端末通信制御部と、
前記携帯端末番組出力制御部によって前記携帯端末出力装置から出力された放送型番組の番組属性情報を含む携帯端末出力履歴を記録する携帯端末出力履歴記録部と、
前記番組受信装置からの要求に応じて前記番組受信装置へ前記携帯端末出力履歴を受け渡す携帯端末出力履歴受渡部と
を有し、
前記番組受信装置は、
放送型番組を受信する番組受信部と、
前記番組受信部によって受信された放送型番組を出力装置から出力するよう制御する番組出力制御部と、
前記番組出力制御部によって前記出力装置から出力された放送型番組の番組属性情報を含む出力履歴を取得する出力履歴取得部と、
携帯端末装置との通信を制御する通信制御部と、
前記出力履歴取得部によって取得された前記出力履歴及び／又は前記携帯端末出力履歴記録部に記録されている前記携帯端末出力履歴と、現在放送中の放送型番組の番組属性情報とを比較し、前記視聴履歴及び／又は前記出力履歴と、前記現在放送中の放送型番組の番組属性情報との一致又は類似性に基づいて各前記携帯端末装置の使用者が視聴又は聴取を希望する放送型番組を予測する視聴番組予測部と、
前記視聴番組予測部によって予測された放送型番組を選択して前記出力装置から出力するよう前記番組出力制御部を制御する選択出力制御部と
を有する
ことを特徴とする番組受信システム。
【発明の詳細な説明】
【技術分野】
【０００１】
本発明は、テレビジョン放送番組又はラジオ放送番組等の「放送型番組」の視聴又は聴取の履歴を蓄積し、ユーザが視聴又は聴取を希望するテレビジョン放送番組又はラジオ放送番組を予測する番組受信装置及び番組受信システムに関する。
【背景技術】
【０００２】
従来から、テレビジョン放送番組又はラジオ放送番組（以下、放送型番組と呼ぶ）を記録する記録装置が存在している。放送型番組の視聴者又は聴取者（以下、単に視聴者と呼ぶ）であるユーザの記録操作に基づいて放送型番組が記録されることとなる。
【０００３】
近年では、放送波のデジタル化に伴い、放送型番組の放送波に各番組の属性情報が付加されていることがある。従って、記録装置に記録されている放送型番組の属性情報（以下、視聴履歴と呼ぶ）を分析することが可能になる。よって、該当ユーザが頻繁に視聴する放送型番組、若しくは放送型番組のジャンルに基づく放送型番組内容が一致又は類似性する放送型番組をユーザに勧めたり、自動的に記録したりすることが可能になる（例えば、特許文献１及び２参照）。
【０００４】
ところで、近年、携帯電話機に代表される様に、携帯端末装置において、例えば、地上デジタル放送（ISDB-T（Integrated  Service  Digital  Broadcasting-Terrestrial））の１３個に分割された帯域の中の１つの帯域を利用して地上デジタル放送を携帯端末装置で視聴可能とする「ワンセグ（携帯電話・移動体端末向けの１セグメント部分受信サービス）」が普及してきている。「ワンセグ」によれば、ユーザは、携帯端末装置によって時と場所とを問わず放送型番組を視聴し、放送型番組を記録することが出来る（例えば、特許文献３参照）。また、ユーザは、携帯端末装置で受信した放送型番組を外部の出力装置にて視聴することが出来る（例えば、特許文献４及び５参照）。
【０００５】
なお、車両の車室内に持ち込まれた携帯端末装置と連携し、携帯端末装置によって受信された放送型番組を車両に備えられるテレビジョン受像機やラジオ受信機によって受信された放送型番組と同様に音響装置から出力することが可能な車載装置が提案されている（例えば、特許文献６及び７参照）。
【０００６】
【特許文献１】特開２００２−１５２６３９号公報
【特許文献２】特開２００１−３３３３３６号公報
【特許文献３】特開２００６−０６０２８４号公報
【特許文献４】特開２００８−０７２５２５号公報
【特許文献５】特開２００３−３７５１３号公報
【特許文献６】特開２００３−３１２３９１号公報
【特許文献７】特開２００２−３５１４７５号公報
【発明の開示】
【発明が解決しようとする課題】
【０００７】
しかしながら、上記特許文献１〜７に代表される従来技術では、一人のユーザが放送型番組を視聴する装置として従来の車載機を含むテレビジョン受像機又はラジオ受信機に加えて携帯端末装置が利用される様になって来ている現状では、視聴履歴が各装置に分散してしまうことになるため、該当ユーザの視聴履歴に基づいて精度よくお勧めの放送型番組の提示等を行うことが出来ないという問題点があった。特に、車両に乗車中であれば、運転者以外の乗員は、車両に備えられている放送型番組を自由に視聴することが可能であるにもかかわらず、視聴を逃してしまうという問題点があった。
【０００８】
本発明は、上記問題点（課題）を解消するためになされたものであって、ユーザの視聴履歴に基づいて精度よく、よく見る放送型番組及びお勧めの放送型番組の提示を行って、ユーザが放送型番組の視聴を逃してしまうという事態を回避する放送型番組受信システム、放送型番組受信装置及び放送型番組受信方法を提供することを目的とする。
【課題を解決するための手段】
【０００９】
上述した問題を解決し、目的を達成するため、本発明の放送型番組受信システム、放送型番組受信装置及び放送型番組受信方法において、放送型番組を受信し、受信された放送型番組をユーザ選択に応じて出力装置から出力するよう制御し、ユーザ選択に応じて出力装置から出力された放送型番組の番組属性情報を含む出力履歴を記録し、携帯端末装置が有する放送型番組受信機能を用いて各携帯端末装置のユーザによって該当携帯端末装置において視聴又は聴取された放送型番組の番組属性情報を含む視聴履歴を各携帯端末装置から取得し、取得された視聴履歴と、現在放送中の放送型番組の番組属性情報とを比較し、視聴履歴及び現在放送中の放送型番組の番組属性情報の一致又は類似性に基づいて各携帯端末装置のユーザが視聴又は聴取を希望する放送型番組を予測し、予測された放送型番組を選択して出力装置から出力するよう制御し、各携帯端末装置を出力装置に対する各携帯端末装置の相対位置情報を含む端末識別情報によって識別し、識別される携帯端末装置毎に該当携帯端末装置において視聴又は聴取された放送型番組の視聴履歴を取得し、取得された視聴履歴及び／又は出力履歴と、現在放送中の放送型番組の番組属性情報とを比較し、視聴履歴及び／又は出力履歴と、現在放送中の放送型番組の番組属性情報との一致又は類似性に基づいて各携帯端末装置のユーザが視聴又は聴取を希望する放送型番組を予測し、ユーザ毎の相対位置情報に応じて放送型番組を出力する出力装置を切り替えることを特徴とする。
【発明の効果】
【００１０】
本発明によれば、ユーザが放送型番組の視聴を逃してしまうという事態を回避するので、ユーザが楽しみにしている放送型番組の視聴を逃して放送型番組のエンターテイメント性を損ねる不利益をユーザが被ることを防止し、放送型番組のエンターテイメント性を維持することを可能にするという効果を奏する。
【発明を実施するための最良の形態】
【００１１】
以下に添付図面を参照し、本発明の放送型番組受信システム、放送型番組受信装置及び放送型番組受信方法に係る実施形態の一例を詳細に説明する。なお、以下に示す放送型番組受信システムに含まれる放送型番組受信装置は、車両に搭載されるワンセグ受信機能を有する車載装置であるとする。しかし、放送型番組受信装置は、デジタル、アナログ、地上波、衛星波を問わずテレビジョン放送番組及び／又はラジオ放送番組を受信可能であってもよい。また、放送型番組受信装置は、車載装置に限られるものではない。
【００１２】
また、以下に示す放送型番組受信システムに含まれる携帯端末装置は、上記車載装置が搭載される車両の車室内に持ち込まれた携帯電話端末装置であるとするが、携帯電話端末装置を始めとするテレビジョン放送番組及び又はラジオ放送番組を視聴又は聴取可能な機能を有する一般的な携帯情報端末（ＰＤＡ（Personal  Digital  Assistant）、可搬型パーソナルコンピュータ装置等）であってもよい。なお、放送型番組受信装置が車載装置でない場合、上記携帯端末装置は、放送型番組受信装置を中心とする一定範囲内に持ち込まれた携帯端末装置とする。
【００１３】
先ず、図１を参照して、実施形態の一例の放送型番組受信装置の構成について説明する。同図に示す様に、放送型番組受信システムＳは、車載装置１００と、少なくとも１台の携帯電話端末装置２００とを含む。
【００１４】
車載装置１００は、マイクロ・コンピュータ等の制御装置である制御部１０１と、放送型番組受信制御部１０２及び放送型番組受信制御部１０２のアンテナ１０２ａと、出力履歴管理部１０３と、入出力部１０４と、装置側携帯端末通信制御部１０５及び装置側携帯端末通信制御部１０５のアンテナ１０５ａと、視聴嗜好性管理部１０６とを有する。
【００１５】
ここで、放送型番組受信制御部１０２及びアンテナ１０２ａは、ワンセグ放送受信装置を形成する。また、装置側携帯端末通信制御部１０５は、例えば、Bluetooth（登録商標、以下同様）等の近距離電波通信規格に従って各携帯電話端末装置２００と行う通信を制御する通信インターフェースである。
【００１６】
また、装置側携帯端末通信制御部１０５は、車両の車室内に備えられたBluetoothアンテナの携帯電話端末装置２００からの電波受信強度に基づいて各携帯電話端末装置２００が位置する座席位置を特定する。そして、例えば、車両の運転席を「００１」とし、運転席以外の座席には「００２」以降の識別番号を割り振る。すなわち、後述する様に、運転席は、「携帯電話端末装置」を示す「ｂ」と、運転席を示す「００１」とを組み合わせて「ｂ００１」なる「装置ＩＤ」が割り振られることになる。
【００１７】
制御部１０１は、放送型番組受信選択部１０１ａと、放送型番組出力制御部１０１ｂと、出力履歴取得部１０１ｃと、携帯端末出力履歴取得部１０１ｄと、視聴番組予測部１０１ｅと、通知制御部１０１ｆとを有する。
【００１８】
放送型番組受信選択部１０１ａは、放送型番組受信制御部１０２によって受信された放送波から放送型番組が搬送される何れかの周波数の放送波を抽出する。これによって、車両の乗員は、該当周波数の放送波によって搬送されてきた所望の放送型番組を選択して車載装置１００にて視聴することが可能になる。
【００１９】
放送型番組出力制御部１０１ｂは、放送型番組受信選択部１０１ａによって選択された放送型番組の画像及び／又は音声を入出力部１０４から出力する様に出力制御する。なお、入出力部１０４は、情報の出力を行う装置（表示装置及びスピーカ等）及び入力情報の受け付けを行う装置（操作スイッチ類、タッチパネルのタッチセンサ等）を包括概念的に指し示している。
【００２０】
入出力部１０４は、情報の出力を行う装置としては、動画像及び／又は静止画像を表示する表示画面を有する表示装置であり、音声を出力するスピーカ等である。入出力部１０４は、入力情報の受け付けを行う装置としては、表示画面の表層に形成されるタッチセンサである。
【００２１】
すなわち、入出力部１０４は、表示画面に表示される情報入力位置を示す画像が押下されたことを検知して対応する処理を実行する様に制御部１０１、特に、放送型番組出力制御部１０１ｂに指示する。具体的には、例えば、ある放送型番組を入出力部１０４から出力させるか否かの選択決定スイッチ画像が押下されると、放送型番組出力制御部１０１ｂに対して該当する放送型番組を入出力部１０４から出力する様に指示する。
【００２２】
また、放送型番組出力制御部１０１ｂは、入出力部１０４から出力した放送型番組の番組属性情報を出力履歴管理部１０３によって管理される図２に示す様な出力履歴テーブルに格納する。出力履歴とは、車載装置１００における放送型番組の視聴履歴であり、番組属性情報等から構成される。なお、「装置ＩＤ」とは、番組属性情報の取得元の装置が車載装置１００又は携帯電話端末装置２００のいずれかであるかを示す情報である。「装置ＩＤ」が「ａ」とは、番組属性情報の取得元の装置が車載装置１００であることを示している。「装置ＩＤ」が「ｂ＊＊＊」とは、番組属性情報の取得元の装置が携帯電話端末装置２００であることを示している。
【００２３】
なお、出力履歴テーブル番組属性情報の一例としては、上記「装置ＩＤ」の他に、例えば、図２〜図５に示す様に、「放送日」、「曜日」、「周波数（チャンネル情報）」、「放送開始時刻」、「放送終了時刻」、「ジャンル」、「番組名」、「キーワード」等が含まれる。
【００２４】
ここで、「ジャンル」は、放送型番組を分類するための情報である。「キーワード」は、放送型番組の内容の要約や出演者名等の情報を含む。例えば、「ジャンル」及び／又は「キーワード」の番組属性情報を利用すると、ユーザが車載装置１００で視聴した放送型番組を特徴や出演者情報等で分類して絞り込むことが出来るとともに、ユーザが「よく見るテレビ番組」と類似の内容傾向を持つ放送型番組を「お勧めのテレビ番組」として提示することが可能になる。この様にすると、ユーザに視聴を提示する番組数が増え、ユーザの選択肢が増えるので、ユーザの利便性が向上する。
【００２５】
「ジャンル」及び／又は「キーワード」の番組属性情報を利用すると、現在放送中又はＥＰＧ（Electric  Program  Guide）に登録されている近い未来（１〜２週間先まで）にユーザが車載装置１００で視聴可能な放送型番組から類似する放送型番組を抽出することが可能になる。この様にして、ユーザが定期的に視聴している放送型番組の他、ユーザの嗜好に合致する放送型番組を予測して「おすすめ番組（よく視聴する放送型番組）」としてユーザに提示することが出来る。
【００２６】
携帯端末出力履歴取得部１０１ｄは、携帯電話端末装置２００から装置側携帯端末通信制御部１０５を介して取得された、携帯電話端末装置２００において管理される該当携帯電話端末装置２００における放送型番組の出力履歴（以下、携帯出力履歴と呼ぶ）を出力履歴管理部１０３によって管理される図４に示す様な統合出力履歴テーブルに格納する。
【００２７】
図４に示す統合出力履歴テーブルは、図２に示す出力履歴テーブルと同一のテーブル構成である。しかし、統合出力履歴テーブルは、車載装置１００から取得した出力履歴及び各携帯電話端末装置２００から取得した携帯端末出力履歴を統合して格納するテーブルである。統合出力履歴テーブルが、取得しうる出力履歴及び携帯端末出力履歴を出来るだけ網羅することによって、後述する視聴番組予測処理の精度を高めることができる。
【００２８】
視聴番組予測部１０１ｅは、出力履歴管理部１０３によって管理される統合出力履歴テーブルに格納される出力履歴及び携帯端末出力履歴の統計処理と、統計処理結果及び現在放送中又はＥＰＧに登録されている放送型番組の番組属性情報の比較とに基づいて、「よく見るテレビ番組」及び「お勧めのテレビ番組」を予測する。
【００２９】
具体的には、例えば、視聴番組予測部１０１ｅは、統合出力履歴テーブルに格納される出力履歴及び携帯端末出力履歴の統計処理によって、「放送日」、「曜日」、「周波数（チャンネル情報）」、「放送開始時刻」、「放送終了時刻」、「ジャンル」、「番組名」、「キーワード」の項目のうち少なくとも一つの項目が一致する出力履歴の行数を集計する。そして、少なくとも一つの項目が一致する出力履歴の行数が所定数以上である項目を抽出する。
【００３０】
そして、視聴番組予測部１０１ｅは、抽出した項目を「よく見るテレビ番組」の予測結果であるユーザの視聴嗜好性が高い放送型番組に関する情報として、視聴嗜好性管理部１０６によって管理される、図５に示す様な視聴嗜好性格納テーブルに更新して格納する。視聴嗜好性格納テーブルは、図２に示す出力履歴テーブルから少なくとも「放送日」の項目を除いたテーブル構成である。また、出力履歴と番組属性情報とが一致する項目のみを有するとしてもよい。「よく見るテレビ番組」の予測結果が複数存在する場合は、ユーザに選択させてもよい。
【００３１】
なお、複数の項目が一致する出力履歴の行数が所定数以上である場合、重要度を示す様に各項目を予め数値化しておき、一致項目の数値の合計が所定値以上である場合、該当する放送型番組を「よく見るテレビ番組」の予測結果としてもよい。
【００３２】
また、視聴番組予測部１０１ｅは、統合出力履歴テーブルに出力履歴又は携帯端末出力履歴が新規に格納される度に、上記統計処理及び「よく見るテレビ番組」の予測処理を行う。これによって、常に最新の情報に基づいて「よく見るテレビ番組」の予測処理を行うことになるので、「よく見るテレビ番組」の予測精度をより向上させる。また、視聴番組予測部１０１ｅは、バックグラウンドで「よく見るテレビ番組」の予測処理を行うので、制御部１０１の処理負荷を時間的に分散させることが出来る。
【００３３】
通知制御部１０１ｆは、視聴嗜好性格納テーブルが更新されると、視聴嗜好性格納テーブルから「よく見るテレビ番組」の予測結果を読み出し、抽出した出力履歴の項目と、現在放送中又はＥＰＧに登録されている放送型番組の番組属性情報との比較を行い、出力履歴と番組属性情報とが一致する場合、該当する放送型番組を「よく見るテレビ番組」として入出力部１０４から出力する様に出力制御する。
【００３４】
「よく見るテレビ番組」として入出力部１０４から出力される表示態様の一例として、図８に示す様に、入出力部１０４の表示画面１０４ａに、「よく見るテレビ番組のお知らせ」表示５０１、「よく見るテレビ番組」表示５０２、「はい（視聴）」スイッチ表示５０３及び「いいえ（画面消去）」スイッチ表示５０４を表示する。「よく見るテレビ番組」の予測結果が複数存在する場合、「よく見るテレビ番組」表示５０２が複数表示される。
【００３５】
ユーザは、「よく見るテレビ番組のお知らせ」表示５０１によって「よく見るテレビ番組」の放送又は放送開始時刻が近いことを認識することが出来る。また、ユーザは、「よく見るテレビ番組」表示５０２によって、「よく見るテレビ番組」の具体的なタイトル、番組内容、出演者情報等を知ることが出来る。
【００３６】
また、ユーザによって「はい（視聴）」スイッチ表示５０３が押下されると、放送型番組出力制御部１０１ｂによって、表示画面１０４ａの表示が「よく見るテレビ番組」の映像へと遷移する。「はい（視聴）」スイッチ表示５０３は複数表示される場合もある。この様に、「はい（視聴）」スイッチ表示５０３の押下のみで「よく見るテレビ番組」の視聴を楽しむことが出来るという利便性を有する。
【００３７】
同時に、放送型番組出力制御部１０１ｂによって、入出力部１０４から「よく見るテレビ番組」の番組音声が出力される様になる。なお、視聴番組予測部１０１ｅによってＥＰＧに基づき予め「よく見るテレビ番組」が予測されることによって、ユーザに該当番組の放送開始時刻が近いことを認識させることができる。
【００３８】
携帯電話端末装置２００は、携帯端末制御部２０１と、携帯端末放送型番組受信制御部２０２及び携帯端末放送型番組受信制御部２０２のアンテナ２０２ａと、携帯端末出力履歴管理部２０３と、携帯端末入出力部２０４と、携帯端末通信制御部２０５及び携帯端末通信制御部２０５のアンテナ２０５ａと、通信制御部２０６及び通信制御部２０６のアンテナ２０６ａとを有する。通信制御部２０６及びアンテナ２０６ａは、携帯電話端末装置２００の通常の通話及びパケット通信に使用される通信インターフェースである。
【００３９】
ここで、携帯端末放送型番組受信制御部２０２及びアンテナ２０２ａは、ワンセグ放送受信装置を形成する。また、携帯端末通信制御部２０５は、Bluetooth等の近距離電波通信規格に従って車載装置１００と行う通信を制御する通信インターフェースである。
【００４０】
携帯端末制御部２０１は、携帯端末放送型番組受信選択部２０１ａと、携帯端末放送型番組出力制御部２０１ｂと、携帯端末出力履歴受渡部２０１ｃとを有する。携帯端末放送型番組受信選択部２０１ａは、携帯端末放送型番組受信制御部２０２によって受信された放送波から放送型番組が搬送される何れかの周波数の放送波を抽出する。これによって、携帯電話端末装置２００のユーザは、該当周波数の放送波によって搬送されてきた所望の放送型番組を選択して該当携帯電話端末装置２００にて視聴することが可能になる。
【００４１】
携帯端末放送型番組出力制御部２０１ｂは、携帯端末放送型番組受信選択部２０１ａによって選択された放送型番組の画像及び／又は音声を携帯端末入出力部２０４から出力する様に出力制御する。なお、携帯端末入出力部２０４は、情報の出力を行う装置（表示装置及びスピーカ等）及び入力情報の受け付けを行う装置（携帯電話端末装置のキーボード、通話のためのマイク等）を包括概念的に指し示している。
【００４２】
すなわち、携帯端末入出力部２０４は、携帯電話端末装置２００の特定のキーボードのキーが押下されたことを検知して対応する処理を実行する様に携帯端末制御部２０１、特に、携帯端末放送型番組出力制御部２０１ｂに指示する。具体的には、例えば、ある放送型番組を携帯端末入出力部２０４から出力させるか否かの選択決定キーが押下されると、携帯端末放送型番組出力制御部２０１ｂに対して該当する放送型番組を携帯端末入出力部２０４から出力する様に指示する。
【００４３】
また、携帯端末放送型番組出力制御部２０１ｂは、携帯端末入出力部２０４から出力した放送型番組の番組属性情報を携帯端末出力履歴管理部２０３によって管理される図３に示す様な携帯端末出力履歴テーブルに格納する。携帯端末出力履歴とは、携帯電話端末装置２００における放送型番組の視聴履歴である。
【００４４】
なお、携帯電話端末装置２００は、車載装置１００から装置側携帯端末通信制御部１０５及び携帯端末通信制御部２０５を介して携帯端末出力履歴の受け渡しを要求される。携帯端末出力履歴受渡部２０１ｃは、携帯端末出力履歴の受け渡し要求に応じて、携帯端末出力履歴管理部２０３から携帯端末出力履歴を読み出し、携帯端末通信制御部２０５及び装置側携帯端末通信制御部１０５を介して受け渡す。
【００４５】
次に、図６のシーケンス図を参照して、携帯電話端末装置２００から車載装置１００へ携帯端末出力履歴を受け渡す携帯端末出力履歴受渡処理について説明する。先ず、ステップＳ１０１では、携帯電話端末装置２００の携帯端末出力履歴受渡部２０１ｃは、携帯端末出力履歴管理部２０３に格納される携帯端末出力履歴テーブルから携帯端末出力履歴を読み出す。
【００４６】
続いて、ステップＳ１０２では、携帯端末出力履歴受渡部２０１ｃは、ステップＳ１０１で読み出した携帯端末出力履歴を車載装置１００の携帯端末出力履歴取得部１０１ｄを介して出力履歴管理部１０３へと受け渡す。出力履歴管理部１０３は、受け渡された携帯端末出力履歴を統合出力履歴テーブルに格納する。
【００４７】
続いて、ステップＳ１０３では、車載装置１００の放送型番組出力制御部１０１ｂは、車載装置１００における放送型番組の出力履歴を出力履歴管理部１０３の統合出力履歴テーブルに格納する。
【００４８】
続いて、視聴番組予測部１０１ｅは、出力履歴管理部１０３の統合出力履歴テーブルに格納される携帯端末出力履歴データ及び出力履歴データを読み出し（ステップＳ１０４）、携帯端末出力履歴データ及び出力履歴データの統計処理と、統計処理結果及び現在放送中又はＥＰＧに登録されている放送型番組の番組属性情報の比較とに基づいて、「よく見るテレビ番組」を予測する（ステップＳ１０５）。
【００４９】
続いて、ステップＳ１０６では、視聴番組予測部１０１ｅは、ステップＳ１０５の視聴番組予測結果を視聴嗜好性管理部１０６の視聴嗜好性格納テーブル（図５参照）に格納する。
【００５０】
次に、図７−１及び図７−２のシーケンス図を参照して、車載装置１００で実行される放送型番組表示切換処理について説明する。先ず、ステップＳ２０１では、通知制御部１０１ｆ（通知タイミング判定）は、「よく見るテレビ番組自動切替え通知タイミング判定」処理を実行する。すなわち、車両の走行状況が「よく見るテレビ番組自動切替え通知」を行っても安全な状態（例えば、車速が一定以下等）であるか否かを判定する。車両の走行状況が「よく見るテレビ番組自動切替え通知」を行っても安全な状態ではないと判定された場合、以降の処理は行われない。
【００５１】
続いて、ステップＳ２０２では、通知制御部１０１ｆ（通知タイミング判定）は、車載装置１００のシステム時計から現在時刻を取得する。現在時刻が取得できなかった場合、以降の処理は行われない。続いて、ステップＳ２０３及びステップＳ２０４では、通知制御部１０１ｆ（通知タイミング判定）は、視聴嗜好性管理部１０６の視聴嗜好性に格納される「よく見るテレビ番組」の放送開始時刻を取得する。
【００５２】
続いて、ステップＳ２０５では、通知制御部１０１ｆ（通知タイミング判定）は、「よく見るテレビ番組」の放送開始時刻到達を現在時刻及び放送開始時刻に基づいて判定する。「よく見るテレビ番組」が“放送中”及び“放送開始時刻が近づいている”と何れも判定されなかった場合、以降の処理は行われない。
【００５３】
続いて、ステップＳ２０６では、通知制御部１０１ｆ（通知タイミング判定）は、「よく見るテレビ番組切替え通知」を契機として、通知内容判定処理へ移行する。続いて、ステップＳ２０７では、通知制御部１０１ｆ（通知内容判定）は、放送型番組受信制御部１０２から、現在放送中又はＥＰＧから番組情報が取得可能な番組の詳細内容（番組名、周波数（チャンネル情報）、放送開始時刻等)を取得する。
【００５４】
続いて、ステップＳ２０８及びステップＳ２０９では、通知制御部１０１ｆ（通知内容判定）は、視聴嗜好性管理部１０６の視聴嗜好性格納テーブルから番組名、周波数（チャンネル情報）、放送開始時刻等を取得する。
【００５５】
続いて、ステップＳ２１０では、通知制御部１０１ｆ（通知内容判定）は、現在放送中又はＥＰＧから番組情報が取得可能な番組の詳細内容と、視聴嗜好性格納テーブルから取得された番組名、周波数（チャンネル情報）、放送開始時刻等が一致する場合、通知情報（番組名、周波数（チャンネル情報）、放送開始時刻等））を作成する。現在放送中又はＥＰＧから番組情報が取得可能な番組の詳細内容と、視聴嗜好性格納テーブルから取得された番組名、周波数（チャンネル情報）、放送開始時刻等が一致しない場合、以降の処理は行われない。
【００５６】
続いて、ステップＳ２１１では、通知制御部１０１ｆ（通知内容判定）は、表示出力処理へと移行する。すなわち、通知制御部１０１ｆ（通知内容判定）は、通知制御部１０１ｆ（表示出力）へ通知情報（表示出力）を受け渡す。
【００５７】
続いて、ステップＳ２１２では、通知制御部１０１ｆ（表示出力）は、入出力部１０４への通知情報の表示出力を制御する。続いて、ステップＳ２１３では、通知制御部１０１ｆ（表示出力）は、入出力部１０４に対して「よく見るテレビ番組切替え通知（表示出力データ）」を受け渡す。続いて、ステップＳ２１４では、入出力部１０４は、受け渡された「よく見るテレビ番組切替え通知（表示出力データ）」を表示画面１０４ａに表示する。
【００５８】
続いて、ステップＳ２１５では、通知制御部１０１ｆ（通知内容判定）は、音声出力処理へと移行する。すなわち、通知制御部１０１ｆ（通知内容判定）は、通知制御部１０１ｆ（音声出力）へ通知情報（音声出力）を受け渡す。
【００５９】
続いて、ステップＳ２１６では、通知制御部１０１ｆ（音声出力）は、入出力部１０４への通知情報の音声出力を制御する。続いて、ステップＳ２１７では、通知制御部１０１ｆ（音声出力）は、入出力部１０４に対して「よく見るテレビ番組切替え通知（音声出力データ）」を受け渡す。続いて、ステップＳ２１８では、入出力部１０４は、受け渡された「よく見るテレビ番組切替え通知（音声出力データ）」を入出力装置から出力する。
【００６０】
続いて、ステップＳ２１９では、入出力部１０４は、表示画面１０４ａに表示されるスイッチ画像表示が操作された場合、放送型番組出力制御部１０１ｂへスイッチ操作情報を受け渡す。続いて、ステップＳ２２０では、スイッチ操作情報を受け渡された放送型番組出力制御部１０１ｂは、要求内容を判定する。すなわち、スイッチ操作が「よく見るテレビ」への表示切替えを要求するものであるか否かを判定する。スイッチ操作が「よく見るテレビ」への表示切替えを要求するものでない場合、以降の処理は行われない。
【００６１】
続いて、ステップＳ２２１では、放送型番組出力制御部１０１ｂは、放送型番組受信選択部１０１ａに対して「よく見るテレビ番組」へ切替え指示を受け渡す。続いて、ステップＳ２２２では、放送型番組受信選択部１０１ａは、選択された「よく見るテレビ番組」のチャンネルを判定する。
【００６２】
続いて、ステップＳ２２３及びステップＳ２２４では、放送型番組受信選択部１０１ａは、視聴嗜好性管理部１０６の視聴嗜好性格納テーブルから、ステップＳ２２２で判定されたチャンネルに対応する周波数（チャンネル情報）を取得する。続いて、ステップＳ２２５では、放送型番組受信選択部１０１ａは、放送型番組出力制御部１０１ｂに対してテレビチャンネル切替え指示を受け渡す。
【００６３】
続いて、ステップＳ２２６では、ステップＳ２２５でテレビチャンネル切替え指示を受け渡された放送型番組出力制御部１０１ｂは、指示を受けたテレビチャンネルへチャンネルを切替え、該当テレビ映像データを入出力部１０４に受け渡す。続いて、ステップＳ２２７では、入出力部１０４は、ステップＳ２２６で受け渡されたテレビ映像データに基づく映像を入出力部１０４の表示画面１０４ａに表示する。
【００６４】
続いて、ステップＳ２２８では、ステップＳ２２５でテレビチャンネル切替え指示を受け渡された放送型番組出力制御部１０１ｂは、該当テレビ音声データを入出力部１０４に受け渡す。続いて、ステップＳ２２９では、入出力部１０４は、ステップＳ２２８で受け渡されたテレビ音声データを入出力部１０４から出力する。
【００６５】
なお、図９−１及び図９−２は、図７−２のステップＳ２２６でテレビチャンネルを切替え、ステップＳ２２７で入出力部１０４の表示画面１０４ａに表示される「よく見るテレビ番組」の映像の表示態様の一例を示す。図９−１の表示領域５０５ｂ及び図９−２の表示領域５０６ｃは、何れも分割された表示画面１０４ａの運転席側の表示領域である。
【００６６】
運転者は、安全確保のため車両の運転に専念しなければならない。よって、走行中は、運転者側の表示領域には、カーナビゲーション装置の表示画面やその他車両の運転に必要な情報のみを表示する。運転者側の表示領域以外の表示領域にのみ、選択された「よく見るテレビ番組」の映像が表示され、同乗者のみが視聴することが出来る。運転者には、音声のみの通知を行う。
【００６７】
「よく見るテレビ番組」の対象者が運転者以外であり、パーソナルディスプレイが備えられている座席に着席している乗員には、「よく見るテレビ番組」の映像及び音声を提供する。また、「よく見るテレビ番組」の対象者が運転者以外であっても、入出力装置を利用する場合は音声のみの提供とするか、図９−１又は図９−２に示す様に、映像表示を制御する。
【００６８】
図９−１は、車両の同乗者によって１つの「よく見るテレビ番組」の映像表示が指示された場合を示し、図９−２は、２つの「よく見るテレビ番組」の映像表示が指示された場合を示している。表示画面１０４ａを液晶ディスプレイとして表示視野角を制御し、表示領域５０５ａ、表示領域５０６ａ及び表示領域５０６ｂに表示される映像は、運転者からは見ることが出来ない様にしてもよい。
【００６９】
また、近年、車両のシートにパーソナルディスプレイ及びパーソナルヘッドフォンが備えられることから、各シートに着座する個々の乗員がそれぞれ「よく見るテレビ番組」を選択して個別に視聴してもよい。これは、車両に持ち込まれた携帯電話端末装置２００の所持者又は利用者の座席位置が特定可能であるためである。各シートに着座する個々の乗員がそれぞれ「よく見るテレビ番組」を選択して個別に視聴可能である。すなわち、携帯電話端末装置の所持者又は利用者の位置を特定し、特定された位置に応じて出力形態（音声のみ、映像のみ等）を変えることが可能である。
【００７０】
上記実施形態の一例によれば、車載装置１００の視聴番組予測部１０１ｅは、出力履歴管理部１０３によって管理される統合出力履歴テーブルに格納される出力履歴及び携帯端末出力履歴の統計処理と、統計処理結果及び現在放送中又はＥＰＧに登録されている放送型番組の番組属性情報の比較とに基づいて、「よく見るテレビ番組」又は「お勧めのテレビ番組」を予測し、通知制御部１０１ｆは、予測が更新されると、「よく見るテレビ番組」又は「お勧めのテレビ番組」の予測結果を読み出し、抽出した出力履歴の項目と、現在放送中又はＥＰＧに登録されている放送型番組の番組属性情報との比較を行い、出力履歴と番組属性情報とが一致する場合、該当する放送型番組を「よく見るテレビ番組」又は「お勧めのテレビ番組」として入出力部１０４から出力する様に出力制御してユーザに提示する。
【００７１】
以上、本発明の実施形態の一例を説明したが、本発明は、これに限られるものではなく、特許請求の範囲に記載した技術的思想の範囲内で、更に種々の異なる実施形態で実施されてもよいものである。また、実施形態の一例に記載した効果は、上記記載に限定されるものではない。
【００７２】
また、上記実施形態の一例において説明した各処理のうち、自動的に行われるものとして説明した処理の全部または一部を手動的に行うこともでき、あるいは、手動的に行われるものとして説明した処理の全部または一部を公知の方法で自動的におこなうこともできる。この他、上記実施形態の一例で示した処理手順、制御手順、具体的名称、各種のデータやパラメータを含む情報については、特記する場合を除いて任意に変更することができる。
【００７３】
また、図示した各装置の各構成要素は機能概念的なものであり、必ずしも物理的に図示のように構成されていることを要しない。すなわち、各装置の分散及び／又は統合の具体的形態は図示のものに限られず、その全部又は一部を、各種の負荷や使用状況などに応じて、任意の単位で機能的または物理的に分散及び／又は統合して構成することができる。
【００７４】
さらに、各装置にて行なわれる各処理機能は、その全部又は任意の一部が、ＣＰＵ（Central  Processing  Unit）又はＭＰＵ（Micro  Processing  Unit）、ＭＣＵ（Micro  Controller  Unit）などのマイクロ・コンピュータ及び当該ＣＰＵ（またはＭＰＵ、ＭＣＵなどのマイクロ・コンピュータ）にて解析実行されるプログラムにて実現されてもよいし、或いは、ワイヤードロジックによるハードウェアとして実現されてもよい。
【図面の簡単な説明】
【００７５】
【図１】実施形態の一例に係る放送型番組受信システムの構成を示すブロック図である。
【図２】出力履歴管理部によって管理される出力履歴テーブルの一例を示す図である。
【図３】携帯端末出力履歴管理部によって管理される携帯端末出力履歴テーブルの一例を示す図である。
【図４】出力履歴管理部によって管理される統合出力履歴テーブルの一例を示す図である。
【図５】視聴嗜好性管理部によって管理される視聴嗜好性格納テーブルの一例を示す図である。
【図６】携帯電話端末装置から車載装置へ携帯端末出力履歴を受け渡す携帯端末出力履歴受渡処理を示すシーケンス図である。
【図７−１】車載装置で実行される放送型番組表示切換処理を示すシーケンス図（その１）である。
【図７−２】車載装置で実行される放送型番組表示切換処理を示すシーケンス図（その２）である。
【図８】「よく見るテレビ番組」として出力される表示態様の一例を示す図である。
【図９−１】入出力部の表示画面に表示される「よく見るテレビ番組」の映像の表示態様の一例（その１）を示す。
【図９−２】入出力部の表示画面に表示される「よく見るテレビ番組」の映像の表示態様の一例（その２）を示す。
【符号の説明】
【００７６】
１００    車載装置
１０１    制御部
１０１ａ    放送型番組受信選択部
１０１ｂ    放送型番組出力制御部
１０１ｃ    出力履歴取得部
１０１ｄ    携帯端末出力履歴取得部
１０１ｅ    視聴番組予測部
１０１ｆ    通知制御部
１０２    放送型番組受信制御部
１０２ａ    アンテナ
１０３    出力履歴管理部
１０４    入出力部
１０４ａ    表示画面
１０５    装置側携帯端末通信制御部
１０５ａ    アンテナ
１０６    視聴嗜好性管理部
２００    携帯電話端末装置
２０１    携帯端末制御部
２０１ａ    携帯端末放送型番組受信選択部
２０１ｂ    携帯端末放送型番組出力制御部
２０１ｃ    携帯端末出力履歴受渡部
２０２    携帯端末放送型番組受信制御部
２０２ａ    アンテナ
２０３    携帯端末出力履歴管理部
２０４    携帯端末入出力部
２０５    携帯端末通信制御部
２０６    通信制御部
２０６ａ    アンテナ
５０１、５０２    表示
５０３、５０４    スイッチ表示
５０５ａ、５０５ｂ    表示領域
５０６ａ、５０６ｂ、５０６ｃ    表示領域
Ｓ    放送型番組受信システム
【図１】
2010154120.tif 000003
【図２】
2010154120.tif 000004
【図３】
2010154120.tif 000005
【図４】
2010154120.tif 000006
【図５】
2010154120.tif 000007
【図６】
2010154120.tif 000008
【図７−１】
2010154120.tif 000009
【図７−２】
2010154120.tif 000010
【図８】
2010154120.tif 000011
【図９−１】
2010154120.tif 000012
【図９−２】
2010154120.tif 000013